(57)【特許請求の範囲】
【請求項１】
一端が水源に接続された第１流出管路と、
一端が下水本管に接続された第２流出管路と、
汚水を貯留する貯留槽と、
一端が前記第１流出管路に接続され、他端には仮設トイレの便器が取り付け可能な立管と、
前記第１流出管路の他端および前記第２流出管路の他端に接続されると共に前記貯留槽に接続され、前記第１流出管路から前記第２流出管路に水を流す第１の状態と、前記第１流出管路から前記貯留槽に水を流す第２の状態とに切り替え可能な流路切替手段と、
を備え、
前記流路切替手段は、
上方に開口する点検口と、前記第１流出管路の前記他端が接続された流入口と、前記第２流出管路の前記他端が接続された第１流出口と、前記貯留槽が接続された第２流出口と、を有するます本体と、
前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えたますである、仮設トイレ用配管設備。
【請求項２】
一端が水源に接続された第１流出管路と、
一端が下水本管に接続された第２流出管路と、
汚水を貯留する貯留槽と、
一端が前記第１流出管路に接続され、他端には仮設トイレの便器が取り付け可能な立管と、
前記第１流出管路の他端および前記第２流出管路の他端に接続されると共に前記貯留槽に接続され、前記第１流出管路から前記第２流出管路に水を流す第１の状態と、前記第１流出管路から前記貯留槽に水を流す第２の状態とに切り替え可能な流路切替手段と、
を備え、
前記流路切替手段は、前記貯留槽の上に配置されている、仮設トイレ用配管設備。
【請求項３】
一端が水源に接続された第１流出管路と、
一端が下水本管に接続された第２流出管路と、
汚水を貯留する貯留槽と、
一端が前記貯留槽に接続された第３流出管路と、
一端が前記第３流出管路に接続され、他端には仮設トイレの便器が取り付け可能な立管と、
前記第１流出管路の他端、前記第２流出管路の他端および前記第３流出管路の他端に接続され、前記第１流出管路から前記第２流出管路に水を流す第１の状態と、前記第１流出管路から前記第３流出管路に水を流す第２の状態とに切り替え可能な流路切替手段と、
を備えた、仮設トイレ用配管設備。
【請求項４】
前記流路切替手段は、
上方に開口する点検口と、前記第１流出管路の前記他端が接続された流入口と、前記第２流出管路の前記他端が接続された第１流出口と、前記貯留槽が接続された第２流出口と、を有するます本体と、
前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えたますである、請求項２または３に記載された仮設トイレ用配管設備。
【請求項５】
前記第２流出口は、前記ます本体の下部に設けられかつ下方に開口し、
前記切替手段は、前記第２流出口に着脱自在に設けられた蓋体である、請求項１または４に記載された仮設トイレ用配管設備。
【発明の詳細な説明】
【技術分野】
【０００１】
本発明は、仮設トイレ用配管設備に関する。
【背景技術】
【０００２】
地震などの災害が発生すると、多数の人々が公共施設などの避難場所に避難し、避難場所で生活する場合がある。このとき、災害の状況によっては、給水設備が使用できなくなり、避難場所のトイレが使用できない場合があった。
【０００３】
そこで、仮設トイレを設置できるようにするための配管設備が提案されている。例えば、特許文献１に記載された仮設トイレ用配管設備は、地中に埋設された排水本管と、一端が仮設トイレの便器に接続可能であり、他端が排水本管に接続された立管と、排水本管と下水本管とを連結する流出管と、排水本管内に水を流入させる貯水タンクとを備えている。この仮設トイレ用配管設備では、災害時、仮設トイレから流出した排泄物が混在した汚水は、立管を通じて排水本管に流れる。そして、排水本管に流れた汚水は、貯水タンクから流出した水によって、流出管を通じて下水本管へ排出される。
【先行技術文献】
【特許文献】
【０００４】
【特許文献１】特許第４１０４１９７号公報
【発明の概要】
【発明が解決しようとする課題】
【０００５】
しかしながら、地震などが発生した場合、下水本管が破損するおそれがある。下水本管が破損した場合、仮設トイレから流出した排泄物が混在した汚水を下水本管へ排出すると、下水本管の破損箇所から、汚水が外部に漏れるおそれがある。また、下水本管の破損箇所から、汚水の悪臭が外部に漏れるおそれがある。そのため、災害時に、仮設トイレが使用できないことがあった。
【０００６】
本発明はかかる点に鑑みてなされたものであり、その目的は、災害時に下水本管が破損した場合であっても、仮設トイレから流出した汚水が外部に漏れることなく、仮設トイレを使用することが可能な仮設トイレ用配管設備を提供することである。
【課題を解決するための手段】
【０００７】
本発明に係る仮設トイレ用配管設備は、一端が水源に接続された第１流出管路と、一端が下水本管に接続された第２流出管路と、汚水を貯留する貯留槽と、一端が前記第１流出管路に接続され、他端には仮設トイレの便器が取り付け可能な立管と、前記第１流出管路の他端および前記第２流出管路の他端に接続されると共に前記貯留槽に接続され、前記第１流出管路から前記第２流出管路に水を流す第１の状態と、前記第１流出管路から前記貯留槽に水を流す第２の状態とに切り替え可能な流路切替手段と、を備えている。前記流路切替手段は、上方に開口する点検口と、前記第１流出管路の前記他端が接続された流入口と、前記第２流出管路の前記他端が接続された第１流出口と、前記貯留槽が接続された第２流出口と、を有するます本体と、前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えたますである。
【０００８】
前記仮設トイレ用配管設備によれば、流路切替手段によって、水源から流出した水の流路を切り替えることができる。通常時、水源から流出した水は、下水本管に排出される。一方、地震などの災害時、流路切替手段による流路の切り替えによって、水源から流出した水は、貯留槽へ排出される。ところで、仮設トイレの便器が取り付け可能な立管は、水源から流出した水が災害時に流れる流路である第１流出管路に接続されている。そのため、災害時に仮設トイレを設置した場合、仮設トイレから流出した汚水は、水源からの水の流路に沿って、貯留槽へ排出される。よって、災害時に下水本管が破損した場合であっても、仮設トイレから流出した汚水は、貯留槽へ排出されるため、仮設トイレを使用することができる。仮設トイレから流出した汚水が、下水本管の破損箇所から外部へ漏れることを防ぐことができる。
【０００９】
また、本発明に係る仮設トイレ用配管設備は、一端が水源に接続された第１流出管路と、一端が下水本管に接続された第２流出管路と、汚水を貯留する貯留槽と、一端が前記貯留槽に接続された第３流出管路と、一端が前記第３流出管路に接続され、他端には仮設トイレの便器が取り付け可能な立管と、前記第１流出管路の他端、前記第２流出管路の他端および前記第３流出管路の他端に接続され、前記第１流出管路から前記第２流出管路に水を流す第１の状態と、前記第１流出管路から前記第３流出管路に水を流す第２の状態とに切り替え可能な流路切替手段と、を備えている。
【００１０】
前記仮設トイレ用配管設備によれば、災害時、流路切替手段による流路の切り替えによって、水源から流出した水は、第３流出管路を通じて貯留槽へ排出される。仮設トイレの便器が取り付け可能な立管は、水源から流出した水が災害時に流れる流路である第３流出管路に接続されている。そのため、前記仮設トイレ用配管設備であっても、災害時に仮設トイレを設置した場合、仮設トイレから流出した汚水は、水源から流出した水の流路に沿って、貯留槽へ排出される。よって、災害時に下水本管が破損した場合であっても、仮設トイレを使用することができる。したがって、仮設トイレから流出した汚水が、下水本管の破損箇所から外部へ漏れることを防ぐことができる。
【００１１】
本発明の好ましい一態様によれば、前記流路切替手段は、上方に開口する点検口と、前記第１流出管路の前記他端が接続された流入口と、前記第２流出管路の前記他端が接続された第１流出口と、前記貯留槽が接続された第２流出口と、を有するます本体と、前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えたますである。
【００１２】
上記態様によれば、ますが流路切替機能を有している。切替手段の位置を変更するだけで、流路を簡単に切り替えることができる。ところで、流出管路内には異物が流れることがある。また、長年の使用により、流出管路に付着物が堆積する場合がある。そのため、異物または付着物により、ますの流路切替機能が損なわれるおそれがある。しかし、ますは点検口を備えているため、メンテナンスが容易である。よって、ます内に異物が詰まった場合または付着物が堆積した場合に、点検口から異物または付着物を容易に取り除くことができる。したがって、災害時に、流路切替機能を十分に確保することができ、流路が切り替えられなくなる事態を回避しやすくなる。
【００１３】
本発明の好ましい他の一態様によれば、前記第２流出口は、前記ます本体の下部に設けられかつ下方に開口している。前記切替手段は、前記第２流出口に着脱自在に設けられた蓋体である。
【００１４】
上記態様によれば、蓋体を第２流出口に装着すると、流入口と第１流出口とが連通し、流入口と第２流出口との連通は遮断される。よって、流入口からます本体に流入した水は、第１流出口から流出し、第２流出口からは流出しない。したがって、水源から流出した水は、下水本管に排出される。一方、災害時において、蓋体を第２流出口から取り外すと、流入口と第１流出口と第２流出口とは連通する。しかし、第２流出口は、流入口および第１流出口よりも低い位置に設けられている。よって、流入口からます本体に流入した水は、第１流出口から流出されず、第２流出口から流出する。したがって、水源から流出した水は、貯留槽に排出される。上記態様によれば、蓋体を取り外すという簡単な作業によって、流路を切り替えることができる。
【００１５】
ところで、下水本管が異物または付着物によって詰まってしまい、下水本管内の水が第２流出管路に逆流する場合がある。しかし、上記態様によれば、蓋体を第２流出口から取り外して、流入口と第１流出口と第２流出口とを連通させることで、逆流した水を第１流出口および第２流出口を通じて貯留槽へ排出することができる。
【００１６】
また、本発明に係る仮設トイレ用配管設備は、一端が水源に接続された第１流出管路と、一端が下水本管に接続された第２流出管路と、汚水を貯留する貯留槽と、一端が前記第１流出管路に接続され、他端には仮設トイレの便器が取り付け可能な立管と、前記第１流出管路の他端および前記第２流出管路の他端に接続されると共に前記貯留槽に接続され、前記第１流出管路から前記第２流出管路に水を流す第１の状態と、前記第１流出管路から前記貯留槽に水を流す第２の状態とに切り替え可能な流路切替手段と、を備えている。前記流路切替手段は、前記貯留槽の上に配置されている。
【００１７】
上記態様によれば、災害時に流路切替手段によって流路を切り替えた場合、水源から流出した水、および、仮設トイレから流出した汚水は、流路切替手段から貯留槽へ直接排出される。よって、流路切替手段から貯留槽へ流れる流路を短くでき、汚水に混在する排泄物などの異物によって流路切替手段から貯留槽の間の流路内を詰まりにくくすることができる。
【発明の効果】
【００１８】
本発明によれば、災害時に下水本管が破損した場合であっても、仮設トイレから流出した汚水が外部に漏れることなく、仮設トイレを使用することが可能な仮設トイレ用配管設備を提供することができる。
【図面の簡単な説明】
【００１９】
【図１】第１実施形態に係る仮設トイレ用配管設備を示す正面図である。
【図２】第１実施形態に係る仮設トイレ用配管設備を示す平面図である。
【図３】第１実施形態に係る仮設トイレ用配管設備を示す正面図である。
【図４】ますの平面図である。
【図５】ますの正面断面図である。
【図６】ますの側面図である。
【図７】蓋体の平面図である。
【図８】蓋体の正面図である。
【図９】蓋体の側面図である。
【図１０】第１実施形態の変形例における、ますおよびその近傍を示す正面図である。
【図１１】第１実施形態の変形例に係る仮設トイレ用配管設備を示す正面図である。
【図１２】第１実施形態の変形例に係る仮設トイレ用配管設備を示す正面図である。
【図１３】第２実施形態に係る仮設トイレ用配管設備を示す正面図である。
【図１４】第２実施形態に係る仮設トイレ用配管設備を示す平面図である。
【図１５】第２実施形態の変形例に係る仮設トイレ用配管設備を示す正面図である。
【図１６】第２実施形態の変形例に係る仮設トイレ用配管設備を示す正面図である。
【発明を実施するための形態】
【００２０】
以下、図面を参照しながら、本発明に係る仮設トイレ用配管設備の各実施形態について説明する。ここで説明される各実施形態は、当然ながら特に本発明を限定することを意図したものではない。また、同じ作用を奏する部材・部位には同じ符号を付し、重複する説明は省略または簡略化する。
【００２１】
＜第１実施形態＞
まず、第１実施形態に係る仮設トイレ用配管設備１Ａについて説明する。図１は、本実施形態に係る仮設トイレ用配管設備１Ａを示す正面図である。図２は、仮設トイレ用配管設備１Ａの平面図である。図３は、仮設トイレ用配管設備１Ａを示す正面図である。なお、図１および図２は、仮設トイレ３を設置する前の状態を示しており、図３は、仮設トイレ３を設置した後の状態を示している。
【００２２】
図３に示すように、仮設トイレ用配管設備１Ａは、地震などの災害時に設置される仮設トイレ３から流出した汚水が流れる配管設備である。仮設トイレ用配管設備１Ａは、災害時、特定避難地として指定された学校などといった公共施設などの避難場所の地中に予め埋設されている。以下では、仮設トイレ用配管設備１Ａは、学校内の地中に埋設されている設備として説明する。仮設トイレ用配管設備１Ａは、学校内の貯水タンク５が設けられた箇所の近傍に設けられていることが好ましい。
【００２３】
貯水タンク５は、雨水または生活用水などの排水が貯められるタンクである。例えば、貯水タンク５は、プールである。しかし、貯水タンク５には、排水以外の水、例えば、飲料水などの異物が混在されていない比較的きれいな水であってもよい。貯水タンク５に貯留された排水は、仮設トイレ用配管設備１Ａ内に流れる。本実施形態では、貯水タンク５は、「水源」に対応する。ここでは、貯水タンク５は、仮設トイレ用配管設備１Ａ内に排水を流出させる、または、流出させないように切り替えることが可能な切替バルブ（図示せず）を備えている。
【００２４】
図２に示すように、仮設トイレ用配管設備１Ａは、流出管路１０と、下水本管２０と、排水の流路を切り替えることが可能なます４０と、貯留槽７０とを備えている。流出管路１０は、上流側から下流側に向かうに連れて若干下方に勾配が付けられている。流出管路１０は、第１流出管路１１および第２流出管路１２を備えている。第１流出管路１１の上流端は貯水タンク５に接続されている。第１流出管路１１の下流端は、ます４０の流入口５２に接続されている。第２流出管路１２の上流端は、ます４０の第１流出口５３に接続されている。第２流出管路１２の下流端は下水本管２０に接続されている。第２流出管路１２の途中部分には、公共ます２１が設けられている。なお、「管路」とは、水を流通させる通路を意味する。「管路」は、一本の配管によって構成されていてもよく、複数本の配管とそれら配管を接続する継手とによって構成されていてもよい。
【００２５】
また、図１に示すように、流出管路１０は、第３流出管路１３を備えている。第３流出管路１３の上流端は、ます４０の第２流出口５４に接続されている。第３流出管路１３の下流端は貯留槽７０に接続されている。
【００２６】
また、流出管路１０は、立管１５を備えている。立管１５は、地面から下方に向かって延びた管である。本実施形態では、立管１５の上端は、地面に向かって開口している。図３に示すように、立管１５の上端には、仮設トイレ３の便器４ａが取り付け可能である。図２に示すように、災害時以外の通常時では、仮設トイレ３は利用されないため、立管１５の上端には、便器４ａは取り付けられておらず、替わりに蓋１６が被せられている。災害時には、この蓋１６が立管１５の上端から取り外され、図３に示すように、仮設トイレ３の便器４ａが接続される。立管１５の下端は、第１流出管路１１に接続されている。図２に示すように、立管１５は、平面視において、第１流出管路１１と重なるように設けられている。
【００２７】
図３に示すように、本実施形態の仮設トイレ用配管設備１Ａには、３つの仮設トイレ３が設置され得る。仮設トイレ用配管設備１Ａは、３つの仮設トイレ３の便器４ａのそれぞれに異なる立管１５が接続されるように、３つの立管１５を備えている。しかし、仮設トイレ３の数は特に限定されない。仮設トイレ用配管設備１Ａに設置される仮設トイレ３の数は、１つであってもよいし、複数であってもよい。仮設トイレ用配管設備１Ａは、仮設トイレ３の数と同じ数の立管１５を備えている。
【００２８】
下水本管２０は、災害が発生していない通常時、貯水タンク５から流出した排水が排出される管である。
【００２９】
次に、ます４０について説明する。ます４０は、排水の流路を切り替えることが可能なますである。具体的には、ます４０は、貯水タンク５から第１流出管路１１内に流出した排水を第２流出管路１２から下水本管２０に流す第１の状態と、第１流出管路１１内の排水を貯留槽７０に流す第２の状態とに切り替え可能なものである。ます４０は、第１流出管路１１と第２流出管路１２との間に設けられている。ます４０は、流出管路１０のうち、仮設トイレ３が設けられ得る立管１５が接続された箇所よりも下流側に設けられている。
【００３０】
図４は、ます４０の平面図である。図５は、ます４０の正面断面図である。図６は、ます４０の側面図であり、第１流出口５３側から見た図である。図５に示すように、ます４０は、ます本体４１と蓋体４２とを備えている。図６に示すように、ます本体４１は、上部が拡径した略筒状に形成されている。図５に示すように、ます本体４１の上部には、上方に開口する点検口５１が形成されている。ます本体４１の側部には、側方に開口する流入口５２および第１流出口５３が形成されている。ます本体４１の下部には、下方に開口する第２流出口５４が形成されている。
【００３１】
図１に示すように、点検口５１は、地面に向かって開口している。ここでは、点検口５１には、点検筒５６が接続されている。点検筒５６の上端は、地面と略同じ高さである。作業者は、地上から点検筒５６を通じて、流路を切り替える作業を行うことができると共に、ます本体４１の内部に破損または詰まりなどがないかを点検することができる。なお、点検筒５６の上端には、蓋５７が配置されている。蓋５７は、地上から取り外しが可能である。点検筒５６は、蓋５７によって閉じられている。
【００３２】
図５に示すように、流入口５２は、ます本体４１の側部に設けられている。本実施形態では、流入口５２は、配管が挿入される受口であるが、配管に挿入される差口であってもよい。前述の通り、流入口５２には、第１流出管路１１が接続される。なお、本実施形態では、流入口５２には、第１流出管路１１の一部をなす配管（図示せず）が直接接続されているが、流入口５２に上記配管が他の部材などを介して間接的に接続されていてもよい。上記他の部材としては、フレキシブルジョイントまたはゴム製の継手などの伸縮自在なものを好適に用いることができる。
【００３３】
第１流出口５３は、ます本体４１の側部であって、流入口５２と反対側に配置されている。本実施形態では、第１流出口５３は受口であるが、第１流出口５３は差口であってもよい。前述の通り、第１流出口５３には、第２流出管路１２が接続される。第１流出口５３には、第２流出管路１２の一部をなす配管が直接接続されていてもよく、上記配管が上記他の部材を介して間接的に接続されていてもよい。
【００３４】
第２流出口５４は、ます本体４１の下部に設けられており、下向きに開口している。第２流出口５４は、平面視において、流入口５２と第１流出口５３との間に配置されている。ここでは、前述の通り、第２流出口５４には、第３流出管路１３が接続される。第２流出口５４は、第３流出管路１３を介して貯留槽７０と間接的に接続されている。
【００３５】
蓋体４２は、ます本体４１内の水の流路を切り替える部材である。本実施形態では、蓋体４２が「切替手段」に対応する。蓋体４２は、第２流出口５４に着脱自在に設けられている。蓋体４２が第２流出口５４に装着されると、第２流出口５４は閉鎖され、流入口５２から第２流出口５４へ水が流れないように流入口５２と第１流出口５３とを連通させる。蓋体４２が第２流出口５４から取り外されると、第２流出口５４は開放され、流入口５２から第１流出口５３へ水が流れないように流入口５２と第２流出口５４とを連通させる。図７は、蓋体４２の平面図である。図８は、蓋体４２の正面図である。図９は、蓋体４２の側面図である。図８に示すように、蓋体４２は、蓋本体６１と、持ち手６２と、嵌合凸部６３とを備えている。
【００３６】
図７に示すように、蓋本体６１は、流入口５２から第１流出口５３へと繋がる流路を形成する底面６５を備えている。図９に示すように、底面６５は、流入口５２の底面および第１流出口５３の底面と滑らかに連続するように、断面略Ｃの字状に形成されている。図８に示すように、持ち手６２は、蓋本体６１の上端から上方に延びるようにして蓋本体６１に設けられている。図９に示すように、持ち手６２は、断面略Ｃの字状に形成されている。図８に示すように、嵌合凸部６３は、蓋本体６１の下面中央に設けられている。嵌合凸部６３は、第２流出口５４を閉塞すべく、第２流出口５４に嵌合可能な部位である。嵌合凸部６３は略円筒状である。本実施形態では、嵌合凸部６３の外周部には、ゴム製のシール部材６４が設けられている。このシール部材６４によって、第２流出口５４と蓋体４２の嵌合凸部６３との間のシールが図られている。
【００３７】
本実施形態では、ます４０の点検口５１には、識別手段が設けられているとよい。この識別手段は、ます４０がどこにあるかを簡単に見付けることができるための手段である。識別手段を点検口５１に設けることによって、例えば暗闇であっても点検口５１がどこにあるかを簡単に見付けることができる。ここでは、識別手段として、点検口５１に接続された点検筒５６の上端部、および／または、点検筒５６の上端に配置された蓋５７に、ます４０の他の部分に施されている色彩と識別容易な色彩が施されている。この識別手段で用いられる色彩は特に限定されないが、例えば、黄色である。上記色彩は蛍光色であってもよい。例えば、点検筒５６の上端部および／または蓋５７に、蛍光塗料を塗布してもよい。このことによって、作業者は暗闇であっても、ます４０の位置を簡単に把握することができる。ただし、上記識別手段は、上述した色彩によるものに限定されず、例えば、蓋５７の上面に旗などの識別容易な物体が配置されていてもよい。
【００３８】
図１に示すように、貯留槽７０は、仮設トイレ３から排出した汚水を貯留する槽である。前述したように、貯留槽７０は、第３流出管路１３を通じて、ます４０の第２流出口５４に接続されている。貯留槽７０は、内部に密封された空間を有している。貯留槽７０が密封式であることによって、貯留槽７０内の汚水から発生する悪臭が外部に漏れないようになっている。本実施形態では、貯留槽７０は、地中に埋設されている。しかし、貯留槽７０は、地上に設置されていてもよい。
【００３９】
次に、本実施形態に係る仮設トイレ用配管設備１Ａの利用方法について説明する。図１に示すように、仮設トイレ用配管設備１Ａは、通常時、仮設トイレ３は設置されておらず、貯水タンク５内から流出した排水を下水本管２０に排出する。図３に示すように、仮設トイレ用配管設備１Ａは、地震などの災害発生時、仮設トイレ３が設置され、流出管路１０内には、貯水タンク５から流出した排水、および、仮設トイレ３から流出した汚水が流れる。下水本管２０が破損した場合、ます４０内の流路を切り替えて、貯水タンク５から流出した排水、および、仮設トイレ３から流出した汚水は、貯留槽７０へ排出される。以下の説明では、通常時の利用態様を通常時モードといい、災害時の利用態様を災害時モードということとする。図１では、通常時モードの状態を示しており、図３では、災害時モードの状態を示している。
【００４０】
図１に示すように、通常時モードでは、立管１５の上端には仮設トイレ３の便器４ａが設けられていない。すなわち、仮設トイレ３は利用されない状態である。図２に示すように、立管１５の上端には蓋１６が被されている。通常時モードでは、ます４０の第２流出口５４は、蓋体４２によって塞がれている。貯水タンク５から流出した排水は、第１流出管路１１に流れた後、ます４０の流入口５２からます本体４１内に流入する。ます本体４１に流入した排水は、第２流出口５４を閉塞している蓋体４２（図４参照）の上方を通り、第１流出口５３からます本体４１の外へ流出する。第１流出口５３から流出した排水は、第２流出管路１２を流れ、下水本管２０に排出される。通常時モードでは、流出管路１０内には、貯水タンク５から流出した排水のみが流れ、仮設トイレ３から流出する汚水は流れない。
【００４１】
図３に示すように、災害時モードでは、立管１５の上端に配置されていた蓋１６が取り外される。そして、仮設トイレ３の便器４ａが立管１５の上端を被せるようにして地面に固定され、便器４ａは、立管１５の上端に接続される。便器４ａごとに個室が形成されるように仮設小屋４ｂが地面に設置される。仮設トイレ３から流出した排泄物が混在した汚水は、立管１５を通じて第１流出管路１１に流入する。そして、第１流出管路１１に流入した汚水は、貯水タンク５から流出した排水の流れに沿って、流出管路１０内を流れる。
【００４２】
ところで、災害時モードであって、下水本管２０が破損した場合、第１流出管路１１を流れる汚水が下水本管２０に排出されると、下水本管２０の破損箇所から汚水が外部に漏れるおそれがある。そこで、災害時に下水本管２０が破損した場合、ます４０の蓋体４２が第２流出口５４から取り外され、第２流出口５４が開放される。例えば、蓋体４２は、以下のようにして取り外すことができる。まず、作業者は、点検筒５６に被せられた蓋５７を点検筒５６から取り外す。次に、蓋体４２の持ち手６２を持って蓋体４２を引き上げる。これにより、第２流出口５４が開放される。なお、持ち手６２に手が届かないような場合は、例えば先端にフックを有する棒状体などを使用して、上記フックを持ち手６２に引っ掛けて蓋体４２を引き上げればよい。
【００４３】
災害時に下水本管２０が破損した場合、仮設トイレ３から立管１５を通じて第１流出管路１１に流出した排泄物が混在した汚水は、貯水タンク５から流出した排水の流れに沿って、ます４０の流入口５２からます本体４１に流入する。このとき、第２流出口５４が蓋体４２から開放されており、また、第２流出口５４は、ます本体４１の下部に形成されているので、ます本体４１に流入した汚水は、第２流出口５４からます本体４１の外へ流出する。第２流出口５４から流出した汚水は、第３流出管路１３を通じて貯留槽７０へ排出される。このように、本実施形態では、災害時に下水本管２０が破損した場合、仮設トイレ３から流出した排泄物が混在した汚水は、貯水タンク５から流出した排水の流れに沿って、貯留槽７０へ排出される。
【００４４】
なお、本実施形態では、災害時であって下水本管２０が破損していない場合、ます４０の蓋体４２によって第２流出口５４を塞ぎ、仮設トイレ３から流出した汚水を下水本管２０に排出してもよいし、蓋体４２を第２流出口５４から取り外し、仮設トイレ３から流出した汚水を貯留槽７０へ排出するようにしてもよい。
【００４５】
以上、本実施形態では、仮設トイレ用配管設備１Ａは、流路切替機能を有するます４０によって、貯水タンク５から流出した排水の流路を切り替えることができる。地震などの災害時、ます４０による流路の切り替えによって、貯水タンク５から流出した排水は、貯留槽７０へ排出される。ここでは、仮設トイレ３の便器４ａが接続される立管１５は、貯水タンク５から流出した排水が災害時に流れる流路である第１流出管路１１に接続されている。そのため、災害時に仮設トイレ３を設置した場合、仮設トイレ３から流出した汚水を、貯水タンク５からの排水の流路に沿って、貯留槽７０へ排出することができる。よって、災害時に下水本管２０が破損した場合であっても、仮設トイレ３から流出した汚水は、貯留槽７０へ排出されるため、仮設トイレ３を使用することができる。本実施形態によれば、仮設トイレ３から流出した汚水が、下水本管２０の破損箇所から外部へ漏れることを防ぐことができる。
【００４６】
また、本実施形態では、ます４０は、点検口５１を備えているため、メンテナンスが容易である。よって、ます本体４１内に異物が詰まった場合または付着物が堆積した場合に、点検口５１から異物または付着物を容易に取り除くことができる。したがって、災害時に、ます４０の流路切替機能を十分に確保することができ、流路が切り替えられなくなる事態を回避しやすくなる。
【００４７】
本実施形態では、図５に示すように、ます４０の第２流出口５４は、ます本体４１の下部に設けられかつ下方に開口している。ます４０の蓋体４２は、第２流出口５４に着脱自在に設けられている。このことによって、通常時、蓋体４２を第２流出口５４に装着すると、流入口５２と第１流出口５３とが連通し、流入口５２と第２流出口５４との連通は遮断される。よって、図１に示すように、通常時、流入口５２からます本体４１に流入した貯水タンク５から流出した排水は、第１流出口５３から流出し、第２流出口５４からは流出しない。貯水タンク５から流出した排水は、下水本管２０に排出される。一方、図３に示すように、災害時において、蓋体４２を第２流出口５４から取り外すと、流入口５２と第１流出口５３と第２流出口５４とは連通する。しかし、第２流出口５４は、ます本体４１における流入口５２および第１流出口５３よりも低い位置に設けられている。よって、流入口５２からます本体４１に流入した排水は、第１流出口５３から流出されず、第２流出口５４から流出する。したがって、貯水タンク５から流出した排水は、貯留槽７０に排出される。本実施形態では、蓋体４２を第２流出口５４から取り外すという簡単な作業によって、流路を切り替えることができる。
【００４８】
ところで、下水本管２０内が異物または付着物によって詰まってしまい、下水本管２０内の汚水が公共ます２１および第２流出管路１２に逆流するおそれがある。しかし、本実施形態では、蓋体４２を第２流出口５４から取り外して、流入口５２と第１流出口５３と第２流出口５４とを連通させることで、逆流した汚水を第１流出口５３から第２流出口５４を通じて貯留槽７０へ排出することができる。そのため、逆流した汚水が仮設トイレ３に流れることを防ぐことができる。
【００４９】
＜変形例＞
本実施形態では、ます４０の第２流出口５４は、第３流出管路１３を介して貯留槽７０に接続されている。しかし、図１０に示すように、第２流出口５４は、貯留槽７０と直接接続されていてもよい。この場合、ます４０の下に貯留槽７０が設けられていることが好ましい。災害時であって下水本管２０が破損した場合、仮設トイレ３から流出した汚水は、第２流出口５４から貯留槽７０へ直接排出される。よって、第２流出口５４から貯留槽７０へ流れる汚水の流路を短くすることができ、第２流出口５４から貯留槽７０の間の流路内が、汚水に混在する排泄物などの異物によって詰まりにくくすることができる。
【００５０】
また、本実施形態では、図１１に示すように、ます４０の点検口５１の上方に、仮設トイレ３の便器４ａが接続されてもよい。すなわち、ます４０の点検口５１の上端に点検筒５６が接続され、点検筒５６の上端に仮設トイレ３の便器４ａが接続されていてもよい。この場合、災害時であって下水本管２０が破損しているとき、点検筒５６の上端に接続された便器４ａから流出した排泄物が混在した汚水は、ます４０の第２流出口５４から第３流出管路１３を通じて貯留槽７０へ排出される。このことによって、新たに仮設トイレ３を設置したい場合、新たに立管１５を用意する必要がないため、仮設トイレ用配管設備１Ａの部品点数を削減することができ、コストを低減することができる。本実施形態のように仮設トイレ３を３つ設置できるような構成である場合、点検筒５６の上端には、他の仮設トイレ３を設けることができるため、より多くの仮設トイレ３を設置することができる。
【００５１】
また、本実施形態では、図１２に示すように、流出管路１０の第１流出管路１１のうち、立管１５と立管１５との間に位置する箇所に、ます４０と同様の流路切替機能を有する他のます４０Ｂが設けられていてもよい。この場合、他のます４０Ｂの第２流出口５４には、第３流出管路１３が接続され、他のます４０Ｂの第２流出口５４は、第３流出管路１３を介して貯留槽７０と接続されている。ただし、他のます４０Ｂの第２流出口５４には、貯留槽７０とは別の貯留槽が接続されていてもよい。このことによって、仮に第１流出管路１１のうち、他のます４０Ｂよりも下流側の配管、および、ます４０が破損した場合であっても、他のます４０Ｂによって流路を切り替えることができる。よって、他のます４０Ｂよりも上流側に位置する仮設トイレ３から流出した汚水は、貯留槽７０へ排出される。したがって、他のます４０Ｂよりも上流側に位置する仮設トイレ３を利用することができる。
【００５２】
また、本実施形態では、第３流出管路１３に、ます４０と同様の構成の流路切替機能を有する他のますが設けられていてもよい。この場合、他のますの第２流出口５４には、貯留槽７０と同様の構成をした他の貯留槽が接続されているとよい。このことによって、例え、貯留槽７０が汚水で満たされたとしても、他のますの流路切替機能によって、第３流出管路１３内に流れる汚水を他の貯留槽に排出することができる。よって、貯留槽７０が汚水で満たされた場合であっても、仮設トイレ３を利用することができる。
【００５３】
以上、第１実施形態に係る仮設トイレ用配管設備１Ａについて説明した。しかし、本発明に係る仮設トイレ用配管設備は、第１実施形態に係る仮設トイレ用配管設備１Ａに限らず、他の種々の形態で実施することができる。次に、他の実施形態について簡単に説明する。なお、以下の説明では、既に説明した構成と同様の構成には同じ符号を付し、その説明は省略することとする。
【００５４】
＜第２実施形態＞
第１実施形態では、上端が仮設トイレ３の便器４ａに接続され得る立管１５の下端は、第１流出管路１１に接続されていた。しかし、第２実施形態に係る仮設トイレ用配管設備１Ｂでは、立管１５の下端は、第１流出管路１１には接続されていない。
【００５５】
図１３は、本実施形態に係る仮設トイレ用配管設備１Ｂの正面図である。図１４は、仮設トイレ用配管設備１Ｂの平面図である。なお、図１４は、仮設トイレ３を設置する前の状態を示しており、図１３は、仮設トイレ３を設置した後の状態を示している。図１３に示すように、仮設トイレ３の便器４ａが取り付け可能な立管１５の下端は、ます４０の第２流出口５４と貯留槽７０とを繋ぐ第３流出管路１３に接続されている。立管１５の下端は、流出管路１０のうち、ます４０が設けられた位置よりも下流側の配管に接続されている。図１４に示すように、仮設トイレ３が接続される立管１５は、平面視において、第３流出管路１３と重なっている。また、立管１５は、第１流出管路１１および第２流出管路１２に対して離れた位置に配置されている。
【００５６】
本実施形態では、通常時、貯水タンク５から流出した排水は、第１流出管路１１を通じて流入口５２からます本体４１内に流入する。そして、ます４０の第２流出口５４は、蓋体４２によって閉塞されているため、ます本体４１に流入した排水は、第１流出口５３から第２流出管路１２を通じて下水本管２０に排出される。一方、災害時では、貯水タンク５から流出した排水は、第１流出管路１１を通じて流入口５２からます本体４１に流入する。そして、蓋体４２は、第２流出口５４から取り外されているため、ます本体４１に流入した排水は、第２流出口５４から第３流出管路１３を通じて貯留槽７０へ排出される。災害時、仮設トイレ３の便器４ａが立管１５の上端に接続される。仮設トイレ３から流出した汚水は、立管１５を通じて第３流出管路１３に流れる。そして、仮設トイレ３から流出した汚水は、貯水タンク５から流出した排水の流路に沿って、貯留槽７０へ排出される。
【００５７】
以上のように、本実施形態では、仮設トイレ３の便器４ａが取り付け可能な立管１５は、貯水タンク５から流出した排水が災害時に流れる流路である第３流出管路１３に接続されている。そのため、災害時に下水本管２０が破損した場合であっても、仮設トイレ３を使用することができる。したがって、仮設トイレ３から流出した汚水が、下水本管２０の破損箇所から外部へ漏れることを防ぐことができる。
【００５８】
本実施形態では、仮設トイレ３から流出した汚水は、第１流出管路１１、ます４０、第２流出管路１２および下水本管２０には流れない。第１流出管路１１、ます４０および第２流出管路１２には、貯水タンク５内の排水のみが流れる。そのため、貯水タンク５内に雨水が貯められている場合、第２流出管路１２の下流端に接続される下水本管２０は、雨水が導入される雨水本管であってもよい。本実施形態では、通常時に使用される第１流出管路１１、ます４０および第２流出管路１２は、汚水用の管路であってもよいし雨水用の管路であってもよいため、排水の種類に限定されない。
【００５９】
本実施形態では、災害時であっても、第１流出管路１１、ます４０および第２流出管路１２には、仮設トイレ３から流出した汚水が流れないため、第１流出管路１１、ます４０および第２流出管路１２を比較的きれいな状態に維持することができる。よって、維持管理がし易い。
【００６０】
また、本実施形態では、ます４０の第２流出口５４は、ます本体４１の下部に設けられ下方に向けて開口している。このことによって、災害時に仮設トイレ３から流出した汚水が第３流出管路１３から第２流出口５４を通じて、ます本体４１に逆流することを防ぐことができる。よって、第１流出管路１１および第２流出管路１２には、仮設トイレ３から流出した汚水が流入しにくくなるため、仮設トイレ３の汚水による管路の劣化を防ぐことができる。
【００６１】
＜変形例＞
本実施形態において、第１実施形態に係る仮設トイレ用配管設備１Ａの構成を追加してもよい。すなわち、第２実施形態に係る仮設トイレ用配管設備１Ｂにおいて、貯水タンク５に接続された第１流出管路１１に仮設トイレ３が取り付け可能な立管１５が接続されていてもよい。このことによって、一つの仮設トイレ用配管設備１Ｂにより多くの仮設トイレ３を設置することができる。
【００６２】
本実施形態では、図１５に示すように、第１流出管路１１に、ます４０と同様の構成の流路切替機能を有する他のます４０Ｂが設けられていてもよい。言い換えると、流出管路１０のうち、ます４０が設けられた箇所よりも上流側に他のます４０Ｂが設けられていてもよい。他のます４０Ｂの第２流出口５４には、第３流出管路１３が接続されており、第３流出管路１３を介して貯留槽７０が接続されている。このことによって、災害時であって、流出管路１０のうち他のます４０Ｂよりも下流側の箇所、または、ます４０が破損した場合であっても、他のます４０Ｂによって流路を切り替えることによって、貯水タンク５内の排水を他のます４０Ｂの第２流出口５４を通じて第３流出管路１３に流すことができる。よって、仮設トイレ３から流出した汚水を、貯水タンク５から流出した排水を利用して貯留槽７０へ排出することができる。
【００６３】
本実施形態では、図１６に示すように、流出管路１０の第３流出管路１３における立管１５と立管１５との間の箇所に、ます４０と同様の構成の流路切替機能を有する他のます４０Ｂが設けられていてもよい。他のます４０Ｂの第２流出口５４には、第３流出管路１３Ｂが接続され、他のます４０Ｂの第２流出口５４は、第３流出管路１３Ｂを介して貯留槽７０と接続されている。このことによって、仮に第３流出管路１３のうち、他のます４０Ｂよりも下流側の配管、または、ます４０が破損した場合であっても、他のます４０Ｂによって流路を切り替えることができる。よって、他のます４０Ｂよりも上流側に位置する仮設トイレ３から流出した汚水は、貯留槽７０へ排出される。したがって、他のます４０Ｂよりも上流側に位置する仮設トイレ３は利用することができる。なお、他のます４０Ｂの第２流出口５４には、貯留槽７０とは別の他の貯留槽が接続されていてもよい。このことによって、貯留槽７０が破損した場合であっても、他のます４０Ｂよりも上流側に位置する仮設トイレ３から流出した汚水は、他の貯留槽へ排出される。よって、このような場合であっても、他のます４０Ｂよりも上流側に位置する仮設トイレ３は利用することができる。
【００６４】
上記各実施形態では、貯留槽７０は一つであった。しかし、貯留槽７０は複数あり、複数の貯留槽７０は互いに連結していてもよい。この場合、一つの貯留槽７０が汚水で満たされたとしても、他の貯留槽７０に汚水を排出することができる。
【符号の説明】
【００６５】
１Ａ、１Ｂ  仮設トイレ用配管設備
３  仮設トイレ
４ａ  便器
５  貯水タンク（水源）
１０  流出管路
１１  第１流出管路
１２  第２流出管路
１３  第３流出管路
１５  立管
２０  下水本管
４０  ます（流路切替手段）
４１  ます本体
４２  蓋体（切替手段）
５１  点検口
５２  流入口
５３  第１流出口
５４  第２流出口
７０  貯留槽
【要約】
【課題】災害時に下水本管が破損した場合であっても、仮設トイレから流出した汚水が外部に漏れることなく、仮設トイレを使用することが可能な仮設トイレ用配管設備を提供する。
【解決手段】仮設トイレ用配管設備１Ａは、一端が水源５に接続された第１流出管路１１と、一端が下水本管２０に接続された第２流出管路１２と、汚水を貯留する貯留槽７０と、一端が第１流出管路１１に接続され、他端には仮設トイレ３の便器４ａが取り付け可能な立管１５と、第１流出管路１１の他端および第２流出管路１２の他端に接続されると共に貯留槽７０に接続され、第１流出管路１１から第２流出管路１２に水を流す第１の状態と、第１流出管路１１から貯留槽７０に水を流す第２の状態とに切り替え可能な流路切替手段４０と、を備えている。
【選択図】図３【図１】
0005643888.tif 000002
【図２】
0005643888.tif 000003
【図３】
0005643888.tif 000004
【図４】
0005643888.tif 000005
【図５】
0005643888.tif 000006
【図６】
0005643888.tif 000007
【図７】
0005643888.tif 000008
【図８】
0005643888.tif 000009
【図９】
0005643888.tif 000010
【図１０】
0005643888.tif 000011
【図１１】
0005643888.tif 000012
【図１２】
0005643888.tif 000013
【図１３】
0005643888.tif 000014
【図１４】
0005643888.tif 000015
【図１５】
0005643888.tif 000016
【図１６】
0005643888.tif 000017